(57)【特許請求の範囲】
【請求項１】
ベースフレームの上部に形成され運動者が座ることができる椅子、
前記椅子の前面両側にヒンジ結合され運動者が前・後方向に押し引きするように形成された第１、２運動バー、及び、
前記第１、２運動バーの一側に連結される連結棒と、前記連結棒に形成される重量部材とで構成され重量を提供する重量部を備え、
前記第１、２運動バーを自転させてねじれ角度を調節するねじれ角度調節手段を含み、
前記ねじれ角度調節手段は、
前記ベースフレームに自転可能に結合され、上部に前記第１、２運動バーがそれぞれヒンジ結合される第１、２回転板、
前記第１、２回転板を連結して第１、２回転板を相反する方向に回転するように回転力を伝達する回転力伝達手段、及び、
前記第１、２回転板のうちいずれか一つの回転角度を固定させるねじれ角度固定部材を含む、ウェイトトレーニング器具。
【請求項２】
前記ねじれ角度固定部材は、
前記ベースフレームの上面に垂直に形成され、第１回転板の上部に水平に配置されるカンチレバーブラケット、及び、
前記カンチレバーブラケットを貫通して垂直に結合され、前記第１回転板に形成された複数の角度調節孔に結合されるメインストッパを含む、請求項１に記載のウェイトトレーニング器具。
【請求項３】
前記第１、２運動バーそれぞれは、
第１、２回転板に垂直に結合され丸棒に形成された垂直棒体、
前記垂直棒体の上端に折曲形成される折曲部、及び、
前記折曲部の上端に水平に形成されるグリップを含み、
前記グリップの先端が垂直棒体の中心線と一致するように形成され、
前記垂直棒体に差込み結合されて回転するホルダーと、前記ホルダーと結合される連結棒及び第２水平部材とを含む、請求項１に記載のウェイトトレーニング器具。
【請求項４】
前記第１、２回転板をティルティングさせて傾き角度を調節する回転板ティルティング手段を含み、
前記回転板ティルティング手段は、
ベースフレームの上面両側に形成された第２ブラケットに両端部がピン結合されて回転し、上面には前記第１、２回転板が回動可能にヒンジ結合される下部支持棒、
前記下部支持棒に一端が連結され他側に行くほど上向きに傾斜した傾斜バー、
前記ベースフレームの後方に垂直に形成された垂直バーに形成され複数の角度調節孔が形成された角度調節板、及び、
前記傾斜バーの他端を貫通して前記角度調節孔に差込まれる第１ストッパを含み、
前記第１ストッパは、円形パイプと、前記円形パイプの内部に挿入されたスプリングに結合されて前記角度調節孔に挿入されるピンとからなる、請求項１に記載のウェイトトレーニング器具。
【請求項５】
前記回転板ティルティング手段に伴って回転作動し、第１、２運動バーの角度を調節する運動バーティルティング手段が含まれ、
前記運動バーティルティング手段は、
前記第１、２回転板の上面に形成された第１ブラケットに下端部がピン結合されて回転可能に結合される第１、２運動バーそれぞれの外周面に差込み結合されて回転することができるホルダーが一端に形成され、他端にはピンホールが形成されて、第１、２運動バーそれぞれに結合される両側の連結棒、
ベースフレームの一側にヒンジ結合される第１水平部材と、前記第１水平部材の一端に垂直に形成される垂直部材と、前記垂直部材の上端に形成される第２水平部材とで構成され、前記第２水平部材の端部に重量部材が装着される重量体支持棒、
前記垂直部材に形成され、前記連結棒のピンホールに対応する長孔が形成されて両側の連結棒の回転角度を調節するティルティング調節部材、及び、
前記ティルティング調節部材の長孔と、前記連結棒のピンホールに貫通結合されて両側の連結棒の回転角度を設定する第２ストッパを含み、
前記第２ストッパは、円形パイプと、円形パイプの内部に挿入されたスプリングに結合され前記長孔及びピンホールに挿入されるピンと、前記ピンの端部に形成されたノブとで構成される、請求項４に記載のウェイトトレーニング器具。
【請求項６】
前記回転板ティルティング手段の第１ストッパを分離する作動に伴って、第２ストッパも分離することができるケーブルユニットが含まれ、
前記ケーブルユニットは、内部にワイヤーが挿入された外部管体を含み、
前記ワイヤーの一端が第１ストッパに固定されたブラケットに連結され、
前記ワイヤーの他端は第２ストッパのピンに連結される、請求項５に記載のウェイトトレーニング器具。
【請求項７】
前記ベースフレームには、椅子の前後間隔を調節する椅子調節手段が含まれ、
前記椅子調節手段は
前記ベースフレームの側面に取り付けられる複数のブラケット、
前記複数のブラケットに両端部が結合されて水平に装着されるガイド棒、
椅子が取り付けられた椅子フレーム、
前記椅子フレームが装着され一端部には前記ガイド棒に結合されて水平にスライディングするガイドホルダーが形成された可動パネル、及び、
前記可動パネルに貫通結合され、前記ベースフレームに複数形成された調節孔に結合されて固定力を提供する第４ストッパを含む、請求項１に記載のウェイトトレーニング器具。
【請求項８】
床に装置されるベースフレーム、
前記ベースフレームの上部に形成され運動者が座ることができる椅子、
前記椅子の前面両側にヒンジ結合され運動者が前・後方向に押し引きするように形成された第１、２運動バー、
前記第１、２運動バーの一側に連結される連結棒と、前記連結棒に形成される重量部材とで構成され重量を提供する重量部、
前記第１、２運動バーを自転させてねじれ角度を調節する運動バー回転部、
前記運動バー回転部を上下方向に傾き角度調節が可能なようにする傾斜角調節部、及び、
前記第１、２運動バーの自転角及び上下角の変化を受容して連結棒の垂直運動を可能にする角度変動受容部を含み、
前記運動バー回転部は、
ベースフレームに両端部がヒンジ結合された支持フレームの上部両側に離隔して回転するように形成され、上部に第１、２運動バーがそれぞれヒンジ結合される第１ブラケットが形成された第１、２回転板、
第１、２回転板の間に形成され支持フレームの上部中央に回転可能に結合され、外周縁に歯車が形成されたメイン円板、
前記メイン円板の回転角度を調節する角度調節手段、
前記第１回転板とメイン円板の間に回転力を伝達する第１回転力伝達手段、及び、
前記第２回転板とメイン円板の間に回転力を伝達する第２回転力伝達手段を含むウェイトトレーニング器具。
【請求項９】
前記角度調節手段は、
前記メイン円板に連結されるバー、
前記バーの端部に結合されるメインストッパ、及び、
前記メインストッパが差込み結合されるように複数の角度調節孔が形成されメイン円板の外側に形成される水平角度調節板を含む、請求項８に記載のウェイトトレーニング器具。
【請求項１０】
前記第１、２運動バーは、相互反対方向に回転することができるように第１ベルトと第２ベルトの回転方向が相反して形成され、
前記第１ベルトは「８」字形に形成され、第２ベルトは楕円形に形成される、請求項８に記載のウェイトトレーニング器具。
【請求項１１】
前記第１、２運動バーそれぞれは、
第１、２回転板の上面に形成された連結部と軸ピンでヒンジ結合されて垂直に形成され丸棒に形成された下部棒体と、前記下部棒体の上部に差込み結合され、内部に下部棒体と結合されるベアリングが形成されて回転することができるホルダー、
前記ホルダーの上部に垂直に差込み結合される上部棒体、
前記上部棒体の上端に形成されるグリップ、
前記上部棒体に差込み結合されて回転するホルダー、及び、
前記ホルダーと結合される連結棒を含み、
前記グリップは、水平の上部バーと下部バー及び垂直バーで構成された「コ」形状または「Ｃ」字形状からなり、開口部が椅子に向かうように形成され、グリップを手で把持する上部バーの中間点を、上部棒体の回転軸と一致するように形成される、請求項８に記載のウェイトトレーニング器具。
【請求項１２】
前記傾斜角調節部は、
前記ベースフレームに一端がヒンジ結合され、他側に行くほど上向きに傾斜するよう形成され、端部には重量円板を差込むように差込み棒が形成された連結棒、
前記連結棒の他端を支持するようにベースフレームに縦方向に設置される支え棒、及び、
前記連結棒と第１、２運動バーのホルダーを連結するように両側に形成されるコネクティングバーを含み、
前記両側のコネクティングバーそれぞれは、第１、２運動バーのホルダーに一端がヒンジ結合された第１パイプと、角度変動受容部に一端がヒンジ結合された第２パイプとが互いに差込み結合されて、長さを調節が可能で、長さが調節された状態で長さが固定されるようになる、請求項８に記載のウェイトトレーニング器具。
【請求項１３】
前記第２パイプは、前記第１パイプの長さ調節孔に対応する位置に結合されて固定力を提供する第１ストッパ及び第２ストッパを含んで構成され、
前記支持フレームに一端が連結され上向きに傾斜して形成され、他端に第３ストッパが形成された傾斜バーと、前記傾斜バーの後端に対応するようにベースフレームの後方上部に形成され第３ストッパが結合されるよう複数の角度調節孔が縦方向に形成された角度板で構成された回動部とをさらに含み、
前記第１ストッパ、第２ストッパ、第３ストッパそれぞれは、ソレノイドと、円形パイプと、前記円形パイプの内部に挿入されたスプリングに結合され前記角度調節孔に挿入されるピンと、前記ピンに連結されたケーブルユニットとを含み、
前記ソレノイドが作動するかケーブルユニットが引っぱられると、ピンが長さ調節孔から抜けるようになり、ソレノイドの作動が止まるかケーブルユニットを放すと、スプリングの弾性によって長さ調節孔にピンが引き入れられて固定されることにより作動させることができる状態になる、請求項１２に記載のウェイトトレーニング器具。
【請求項１４】
前記角度変動受容部は、
一側には連結棒に形成されたヒンジブラケットと軸ピンで結合されるボールと、前記ボールに差込み結合されるジョイントが一端部に形成され、他端部は前記コネクティングバーにヒンジ結合されるロードとで構成され、前記連結棒とコネクティングバーを連結し第１、２運動バーの上下左右方向の角度変化を受容し、第１、２運動バーの前後進作動を連結棒に伝達する、請求項１２に記載のウェイトトレーニング器具。
【請求項１５】
ソレノイドを用いて前記メインストッパを角度調節孔から分離した後、第１、２回転板の自転角度を設定する電動式角度調節部を含み、
前記電動式角度調節部は、
メイン円板の外周縁に形成された複数の歯車からなる歯車部、
前記歯車部に歯車結合されるピニオンギアが形成され支持フレームに装着された第１モーター、
第１モーターが装着されスライド移動する固定部、及び、
メイン円板の回転角度を感知する角度センサー部で構成され、
前記固定部は、支持フレームに連結された支え板と、支え板の上面に装置された移動板と、移動板に垂直に形成された垂直棒とで構成され、前記垂直棒の上部に第１モーターが装着され、
前記移動板と支え板にはそれぞれ調節長孔が形成され、調節長孔に結合されて固定または解除作動する移動板ストッパを含んで構成され、
前記角度センサー部は、
メイン円板の下部に形成され、前記歯車部に近接して弧形状に複数の接点と、
前記複数の接点を感知するように第１モーターの上部に形成されたセンサー、とを含む、請求項９に記載のウェイトトレーニング器具。
【請求項１６】
前記傾斜角調節部の角度を設定する上下角度調節部を含み、
前記上下角度調節部は
ベースフレームに両端部がヒンジ結合された支持フレームの一側面に装着され、外周縁に歯車が形成された扇形ギア、
前記扇形ギアに歯車結合されるピニオンギアが形成され、ベースフレームに結合されたプレートに装着された第２モーター、及び、
前記扇形ギアの側面に弧形に複数配置される接点と、第２モーターの一側に形成され前記複数の接点を感知するセンサーで構成される角度センシング部、を含む、請求項８に記載のウェイトトレーニング器具。
【請求項１７】
前記連結棒の上下回転運動の伝達を受けてローターを回転させて発電させる自家発電部を含み、
前記自家発電部は、ベースフレームの後方に装着されプーリーを回転軸に備えた発電機、一端が前記連結棒に固定され前記発電機のプーリーに巻き取られるワイヤーロープ、及び、前記ワイヤーロープの端部に一端が結合され他端はベースフレームの一側に結合されて伸縮作動する弾性部材を含む、請求項８に記載のウェイトトレーニング器具。
【請求項１８】
前記第１、２運動バーの上面一側には固定クリップがヒンジ結合され、
前記固定クリップはメインストッパを上昇させた状態で固定させる役割をする、請求項８に記載のウェイトトレーニング器具。
【発明の詳細な説明】
【技術分野】
【０００１】
開示される発明は、ウェイトトレーニング器具に関する。さらに詳細には、手動または電気を用いて、ウェイトトレーニング器具の、運動負荷を提供する形態に応じてレンガ状の積層重りを用いるマシン類や、円板の重りを加減して運動負荷を提供するハンマー型運動器具のグリップ角を多様に調整できるようにするウェイトトレーニング器具に関する。
【背景技術】
【０００２】
本明細書で別途に表示されない限り、このセクションで説明される内容は、この出願の請求項に対する従来技術ではなく、このセクションに含まれるからといって従来技術であると認められるものではない。
【０００３】
ヘルスクラブでする運動は、大きく有酸素運動と、無酸素運動と呼ばれる器具運動に区分することができる。
【０００４】
器具運動は、さらに運動目的によって上体の筋肉運動、下半身の筋肉運動、腹部の筋肉運動等に区分することができる。
【０００５】
その中で上体の筋肉運動のための代表的な運動器具として、チェストプレス、インクラインチェストプレス、デクラインチェストプレス、ショルダー、ロングプルマシン及びハンマー類の運動器具がある。
【０００６】
現存の前記のような運動器具は、グリップを押し引きする角度が特定されており、単一角度で固定されていて該当部位の筋肉刺激を多様にすることができない短所がある。
【先行技術文献】
【特許文献】
【０００７】
韓国特許出願第１０−２００９−００４６８６５号
【発明の概要】
【発明が解決しようとする課題】
【０００８】
開示される発明の目的は、該当筋肉を部位別に多様に刺激して運動することができるように、グリップ角度を多様に調整可能にしたウエートトレーニング器具を提供することにある。
【課題を解決するための手段】
【０００９】
前記の目的を達成するために、開示される発明によるグリップ角度の調整可能なウェイトトレーニング器具は、胸筋運動をするチェストプレスを例にして説明すると、床に装置されるベースフレーム、前記ベースフレームの上部に形成され運動者が座ることができる椅子、前記椅子の前面両側にヒンジ結合され運動者が前・後方向に押し引きするように形成された第１、２運動バー、前記第１、２運動バーの一側に連結される連結棒と、前記連結棒に形成される重量部材で構成され、重量を提供する重量部、を含むウェイトトレーニング器具であって、前記第１、２運動バーを自転させねじれ角度を調節する手段を含む。
【発明の効果】
【００１０】
開示された実施例によれば、該当筋肉を部位別に多様に刺激して運動することができるように、グリップ角度を多様に調整可能にした効果がある。
【図面の簡単な説明】
【００１１】
【図１】本発明の実施例１によるウェイトトレーニング器具を示した、前方から見た斜視図である。
【図２】本発明の実施例１によるウェイトトレーニング器具を後方左から見た斜視図である。
【図３】本発明の実施例１によるウェイトトレーニング器具を示した分解斜視図である。
【図４】本発明の実施例１によるウェイトトレーニング器具を示した左側面図である。
【図５】本発明の実施例１によるウェイトトレーニング器具を示した左側面図である。
【図６】本発明の実施例１によるウェイトトレーニング器具のねじれ角度調節手段の作動を示した平面図である。
【図７】本発明の実施例１によるウェイトトレーニング器具のねじれ角度調節手段の作動を示した平面図である。
【図８】本発明の実施例１によるウェイトトレーニング器具のねじれ角度調節手段の作動を示した斜視図である。
【図９】本発明の実施例１によるウェイトトレーニング器具の回転板ティルティング手段の作動前を示した側面図である。
【図１０】本発明の実施例１によるウェイトトレーニング器具の回転板ティルティング手段の作動後を示した側面図である。
【図１１】本発明の実施例１によるウェイトトレーニング器具の椅子調節手段を示した例示図である。
【図１２】本発明の実施例１によるウェイトトレーニング器具の第１ストッパの他の実施例を示した部分拡大斜視図である。
【図１３】図１２における第１ストッパを示した部分拡大図である。
【図１４】図１２における第２ストッパを示した部分拡大図である。
【図１５】本発明の実施例２によるウェイトトレーニング器具を示した、前方から見た斜視図である。
【図１６】本発明の実施例２によるウェイトトレーニング器具を後方左から見た斜視図である。
【図１７】本発明の実施例２によるウェイトトレーニング器具の要部の拡大図である。
【図１８】本発明の実施例２によるウェイトトレーニング器具を後方右から見た斜視図である。
【図１９】本発明の実施例２によるウェイトトレーニング器具を示した側面図である。
【図２０】本発明の実施例２によるウェイトトレーニング器具を示した平面図である。
【図２１】本発明の実施例２によるウェイトトレーニング器具の第１、２運動バーの回転作動を示す平面図で、体の方に向けて第１、２運動バーを回転させた図である。
【図２２】本発明の実施例２によるウェイトトレーニング器具の第１、２運動バーの回転作動を示す平面図で、外側に向けて第１、２運動バーを回転させた例示図である。
【図２３】本発明の実施例２によるウェイトトレーニング器具の角度変動受容部の作動を示した図で、（ａ）は体の方に向けて屈折した状態、（ｂ）は外側に向けて屈折した状態を示す例示図である。
【発明を実施するための形態】
【００１２】
以下、好ましい実施例を実施例１、２に区分して、添付された図面に基づき詳細に説明すれば次のとおりである。
【００１３】
下記で説明される実施例は、本発明が属する技術分野で通常の知識を有する者が発明を容易に実施することができる程度に詳細に説明するためのものであり、これにより本発明の技術的な思想及び範疇が限定されることを意味しはしない。また、図面に示された構成要素の大きさや形状等は、説明の明瞭性と便宜上誇張して図示され得るし、本発明の構成及び作用を考慮して特別に定義された用語は、使用者、運用者の意図または慣例に応じて異なり得、このような用語についての定義は、本明細書全般にわたる内容を元になすべきであることを明らかにしておく。
【実施例１】
【００１４】
添付された図面のうち図１ないし図１４は、本発明の実施例１を示す。
【００１５】
図１ないし図１４に示されるように、本発明によるグリップ角度の調整可能なウェイトトレーニング器具は、床に装置されるベースフレーム１００、前記ベースフレーム１００の上部に形成され運動者が座ることができる椅子２００、前記椅子２００の前面両側にヒンジ結合され運動者が前方に押すように形成された第１、２運動バー１１，１２、前記第１、２運動バー１１，１２の一側に連結される連結棒２９と、前記連結棒２９に形成される重量部材Ｒで構成され重量を提供する重量部３００、を含むウェイトトレーニング器具であって、前記第１、２運動バー１１，１２を自転させてねじれ角度を調節するねじれ角度調節手段２、が含まれる。
【００１６】
ねじれ角度調節手段２は、椅子２００に座った状態で運動者が両側の第１、２運動バー１１，１２を自転（ｒｏｔａｔｉｏｎ）（本実施例の説明において自転というのは、ねじってその場で回転させることと定義される。）させて角度を調節することにより胸筋の刺激を受ける部位を変更することができる。
【００１７】
第１、２運動バーを自転させて角度を変更することにより、胸筋の外側、中間、内側を区分して刺激することができる。
【００１８】
ねじれ角度調節手段２は、前記下部支持棒１４０の両側に自転可能に形成され、上部に前記第１、２運動バー１１，１２がそれぞれヒンジ結合される第１ブラケット２３が形成された第１、２回転板２１，２２、前記第１、２回転板２１，２２の外周縁に密着して連結され、第１、２回転板２１，２２を相反する方向に回転するように回転力を伝達する回転力伝達手段、第１、２回転板２１，２２のうちいずれか一つの回転角度を固定させるねじれ角度固定部材２５を含んで構成される。前記回転力伝達手段は、ベルト２４であり得る。
【００１９】
前記ねじれ角度固定部材２５は、ベースフレーム１００の上面に垂直に形成され、第１回転板２１の上部に水平に配置されるカンチレバーブラケット２５２、カンチレバーブラケット２５２を貫通して垂直に結合され、前記第１回転板２１に形成された複数の角度調節孔２５３のうちいずれか一つに差込み結合されるメインストッパ２５４を含んで構成され得るところ、前記メインストッパ２５４は、スプリングによって出没するピンで角度調節孔２５３に差込まれる構造であり得る。
【００２０】
したがって、メインストッパ２５４が角度調節孔２５３から分離するようにした後、第１、２運動バー１１，１２のうちいずれか一つ又は２つ両方を同時に自転させると、第１、２回転板２１，２２が回転力伝達手段２４で連結されているので同時に回転することができて、第１、２運動バー１１，１２のねじれ角度調節が可能になる。
【００２１】
第１、２運動バー１１，１２は、両側に同一の形状で対称に結合される。
【００２２】
第１、２運動バー１１，１２の形状を詳察すると、第１ブラケット２３と結合されて垂直に結合され、丸棒に形成された垂直棒体１１２，２１２と、前記垂直棒体１１２，２１２の上端に折曲形成される折曲部１１４，２１４と、前記折曲部１１４，２１４の上端に水平に形成されるグリップ１１６，２１６で構成される。
【００２３】
ここで、前記グリップ１１６，２１６の先端が垂直棒体１１２，２１２の中心線と一致するように形成される。
【００２４】
前記折曲部１１４，２１４は「コ」形状、弧形等、多様な形状からなり得る。
【００２５】
したがって、第１、２運動バー１１，１２の形状により、図６及び図７のように回転させても、手を握るグリップの位置は回転板２１の中心点から外れない。
【００２６】
また第１、２運動バー１１，１２を自転させて角度を変化させることにより、胸筋の外側、中間、内側を意図どおりに刺激することができる。
【００２７】
前記第１、２運動バー１１，１２は、下端が、それぞれ連結棒２９に形成されているホルダー６１を貫通して回動可能に設置されていて、運動バー１１，１２が右、左の方向に回転しても、連結棒２９は角度変化なしに元の位置を維持する。もしホルダー６１がなければ、第１、２運動バー１１，１２と連結棒２９が一緒に動くこととなり、これに伴って円板３００をはめる重量体支持棒６３の第２水平部材６３３も一緒に動いて、運動バーの回転調節の際に大きな力がかかり、垂直バー１５０と傾斜バー１６０が衝突する問題も惹き起こされる。
【００２８】
図６に示されるように、第１、２運動バー１１，１２を一方向に回転させて体の外側に向かうように押す運動をするようになる。
【００２９】
これは図８を参照すれば、（ｃ）で表示された位置に該当する。この状態の運動は、胸筋の外側に刺激を与えるようになる。
【００３０】
または図７に示されたように、第１、２運動バー１１，１２を他方向に回転させて体の内側へ寄せるように押す運動をするようになる。
【００３１】
これは図８を参照すれば、（ａ）で表示された位置に該当する。この状態の運動は、胸筋の内側に刺激を与えるようになる。
【００３２】
図８を参照すれば、（ｂ）で表示された位置の運動は、胸筋の中間に刺激を与えるようになる。
【００３３】
図８で、説明の便宜上、右側の第１運動バー１１についてのみねじり作動を例示したが、図示してはいないが、左側の第２運動バー１２も第１運動バー１１と同様にねじり作動され得ることを明らかにしておく。
【００３４】
一方、開示される実施例は、第１、２回転板２１，２２をティルティングさせて傾き角度を調節する回転板ティルティング手段３を含む。
【００３５】
一実施例による、前記回転板ティルティング手段３は、図１ないし図５に示したように、前記ベースフレーム１００の上面両側に形成された第２ブラケット１４２に両端部がピン結合されて回転し、上面には前記第１、２回転板２１，２２が回動可能にヒンジ結合される下部支持棒１４０、下部支持棒１４０に一端が連結され他側に行くほど上向きに傾斜した傾斜バー１６０、ベースフレーム１００の後方に垂直に形成された垂直バー１５０に形成され複数の角度調節孔１８１が形成された角度調節板１８０、傾斜バー１６０の他端を貫通して前記角度調節孔１８１に差込まれる第１ストッパ１９０、を含んで構成される。
【００３６】
前記第１、２回転板２１，２２は、中央部にベアリングハウジングが形成されて、下部支持棒１４０に形成されるシャフトに装着される方式で設置され得る。
【００３７】
前記第１ストッパ１９０は、円形パイプと、円形パイプの内部に挿入されたスプリングに結合されて前記角度調節孔１８１に挿入されるピンと、ピンの端部に形成されたノブで構成される。
【００３８】
したがって、ノブを握って引くとピンが角度調節孔１８１から抜けるようになり、ノブを放すとスプリングの弾性によって角度調節孔１８１にピンが引き入れられて固定状態になる。
【００３９】
図４及び図９を参照すると、角度調節孔１８１の上部に第１ストッパ１９０を差込むと、第１、２回転板２１，２２は水平状態となり、第１、２運動バー１１，１２は垂直状態になる。
【００４０】
一方、図５及び図１０を参照すると、角度調節孔１８１の下部に第１ストッパ１９０を差込むと、第１、２回転板２１，２２は傾斜した状態となり、第１、２運動バー１１，１２は傾いて体の方寄りに調節され得る。
【００４１】
一方、他の実施例によれば、図１２ないし図１４に示されるように、第１ストッパ１９０を分離する作動に伴って、両側の第２ストッパ６５も分離することができるケーブルユニット６７が含まれ得る。
【００４２】
第１、２運動バー１１，１２にそれぞれ連結棒２９が両側に備えられ、それぞれの連結棒２９に第２ストッパ６５がそれぞれ形成されるが、これについては運動バーティルティング手段６を説明しながら後で詳細に説明することにする。
【００４３】
前記ケーブルユニット６７は、第１ストッパ１９０に一端が連結され、他端は第２ストッパ６５に連結される。
【００４４】
第２ストッパ６５は、円形パイプと、円形パイプの内部に挿入されたスプリングに結合され前記ティルティング調節部材６４の長孔６４２及び連結棒２９のピンホールに挿入されるピンと、ピンの端部に形成されたノブで構成される。
【００４５】
前記ケーブルユニット６７は、内部にワイヤー６７１が挿入された外部管体６７２を含むもので、図１３を参照すると、ワイヤー６７１の一端が第１ストッパ１９０に固定されたブラケット６７７に連結され、かつワイヤー６７１の他端は図１９に示されたように第２ストッパ６５のピンに連結される。
【００４６】
前記外部管体６７２は、傾斜バー１６０に一端部が固定され、他端部はティルティング調節部材６４の板材６４５の突出して装着された「Ｌ」形状のブラケット６７４に固定される。
【００４７】
したがって、第１ストッパ１９０を外側に引っぱると、ワイヤー６７１が引っぱられて他側の第２ストッパ６５も伴って引っぱられるようになるため、第２ストッパ６５の分離作動が伴って行われることができる。
【００４８】
すなわち、外部管体６７２の他端部がブラケット６７４に固定されているため、ワイヤー６７１のみが引っぱられ得るため、第２ストッパ６５と反対側の第２ストッパを同時に引っぱるようになる。
【００４９】
一実施例によれば、回転板ティルティング手段３に伴って回転作動することにより、前記第１、２運動バー１１，１２の角度を調節する運動バーティルティング手段６が含まれる。
【００５０】
前記運動バーティルティング手段６は、図１に示されるように、前記第１、２回転板２１，２２の上面に形成された第１ブラケット２３に下端部がピン結合されて回転可能に結合される第１、２運動バー１１，１２それぞれの外周面に差込み結合されて回転することができるホルダー６１が一端に形成され、他端にはピンホール（図示なし）が形成されて、第１、２運動バー１１，１２それぞれに結合される両側の連結棒２９、ベースフレーム１００の一側にヒンジ結合される第１水平部材６３１と、前記第１水平部材６３１の一端に垂直に形成される垂直部材６３２と、前記垂直部材６３２の上端に形成される第２水平部材６３３で構成され、前記第２水平部材６３３の端部には重量部材Ｒが装着される重量体支持棒６３に形成された差込み棒３１０、を含む。
【００５１】
また図３に示されるように、前記垂直部材６３２に形成され、前記連結棒２９のピンホールに対応する長孔６４２が縦方向に形成されて両側の連結棒２９の回転角度を調節するティルティング調節部材６４が両側の連結棒２９にそれぞれ形成される。
【００５２】
そして前記ティルティング調節部材６４の長孔６４２に結合され、前記連結棒２９のピンホールに貫通結合されて両側の連結棒２９の回転角度を設定する第２ストッパ６５が両側の連結棒２９にそれぞれ形成される。
【００５３】
前記重量体支持棒６３の第１水平部材６３１の一端は、ベースフレーム１００と、ベアリングが介在したシャフト６３５で結合され、回転することができる（図２又は図４参照）。
【００５４】
ティルティング調節部材６４は、２つの板材６４５が内・外側に離隔配置され、複数のボルトで締結されて構成されたものであり、外側の板材には長孔６４２が形成され、内側の板材には長孔に対応する複数のピン締結孔が形成される。
【００５５】
２つの板材６４５の間に連結棒２９の他端、すなわちピンホールが形成された部位が挿入され、第２ストッパ６５が長孔６４２を貫通してピン締結孔に結合されることにより固定される。
【００５６】
ティルティング調節部材６４は、重量体支持棒の垂直部材に取り付けられて一体となる。
【００５７】
図５に示されるように、回転板ティルティング手段３の第１ストッパ１９０を解除した後、下部支持棒１４０を下げて回転させると、それに従属した第１、２回転板２１，２２が上方に傾いて回転し、第１、２運動バー１１，１２も傾いて回転することにより、グリップ１１６，２１６と使用者の距離が近くなり、グリップ１１６，２１６が近くなっただけ椅子２００を体の後ろ側に移動させた後、第１、２運動バー１１，１２を前方に押して作動を実施する。
【００５８】
それぞれの連結棒２９が上下に回転し、連結棒２９が結合されたティルティング調節部材６４が上下回転する。
【００５９】
ティルティング調節部材６４に連結された第２水平部材６３３、及び第２水平部材６３３の端部に重量部材Ｒが装着された重量体支持棒６３が、伴って上下に回転することにより、胸筋の上部を刺激することができる。
【００６０】
重量体支持棒６３は、第１水平部材６３１と垂直部材６３２、第２水平部材６３３で構成され、第２水平部材６３３の端部に差込み棒３１０が形成され、差込み棒３１０に重量部材Ｒが装着される。
【００６１】
また、回転板ティルティング手段３の第１ストッパ１９０を解除した後、下部支持棒１４０を上げて回転させると、それに従属した第１、２回転板２１，２２が下方に傾いて回転し、第１、２運動バー１１，１２も傾いて回転することにより、グリップ１１６，２１６と使用者との距離が遠くなるようになる。
【００６２】
グリップ１１６，２１６が遠くなっただけ椅子２００を体の前方へ移動させた後、第１、２運動バー１１，１２を前方に押して作動を実施すると、それぞれの連結棒２９が上下に回転し、連結棒２９が結合されたティルティング調節部材６４が上下回転する。
【００６３】
ティルティング調節部材６４に連結された第２水平部材６３３、及び第２水平部材６３３の端部に重量部材Ｒが装着された重量体支持棒６３が、伴って上下に回転することにより、胸筋の下部を刺激することができる。
【００６４】
重量部材Ｒは、重量円板が適用され、重量体支持棒６３に形成された差込み棒３１０に適正な数の重量円板を結合させて重さを設定することができる。
【００６５】
または図示されていないが、重量体支持棒６３の第２水平部材６３３の末端部にワイヤーを連結して、レンガ状のステックを積層して運動負荷を提供するいわゆる「マシン」の器具にも応用することができる。
【００６６】
一方、前記ベースフレーム１００には、椅子２００の前後間隔を調節する椅子調節手段８が含まれる。
【００６７】
前記椅子調節手段８は、図１１に示されるように、前記ベースフレーム１００の側面に取り付けられる複数のブラケット８１、複数のブラケット８１に両端部が結合されて水平に装着されるガイド棒８２、椅子２００が取り付けられた椅子フレーム８４、椅子フレーム８４が装着され一端部には前記ガイド棒８２に結合されて水平にスライディングするガイドホルダー８７が形成された可動パネル８３、及び可動パネル８３に貫通結合され、前記ベースフレーム１００に複数形成された調節孔１０８に選択的に結合されて固定力を提供する第５ストッパ８５を含んで構成される。
【００６８】
第１、２運動バー１１，１２の傾きに応じて、椅子２００を前後に移動させて適切な位置を設定した後、第５ストッパ８５を調節孔１０８に差込んで固定させたてから、ウェイト運動をすることができるようになる。
【実施例２】
【００６９】
添付された図面の図１５ないし図２３は本発明の実施例２を示す。
【００７０】
図示されたように、本発明によるグリップ角度の調整可能なウェイトトレーニング器具は、床に装置されるベースフレーム１００、ベースフレーム１００の上部に形成され運動者が座ることができる椅子２００、椅子２００の前面両側にヒンジ結合され運動者が前方に押すように形成された第１、２運動バー１１，１２、第１、２運動バー１１，１２の一側とコネクティングバー３６を介して連結される連結棒３２と、連結棒３２に形成される重量部材Ｒとで構成され重量を提供する重量部を含み、第１、２運動バー１１，１２を手動または電動式で左右方向に回転させてねじれ角度を調節する運動バー回転部２、運動バー回転部２をティルティングさせて傾き角度を調節する傾斜角調節部３、前記第１、２運動バーの回転角及び上下角の変化を受容して連結棒の垂直運動を可能にする角度変動受容部を含んで構成される。そして電気的な制御のためにディスプレイパネルが備えられた制御部４００をさらに含み得る。
【００７１】
運動バー回転部２は、椅子２００に座った状態で運動者が両側の第１、２運動バー１１，１２を自転させて角度を調節することにより、胸筋の刺激を受ける部位を変更することができるようになる。
【００７２】
第１、２運動バー１１，１２を自転させて角度を変更させることにより、胸筋の外側、中間、内側等、多様な部位をダイナミックに変更させて刺激を与えることができる。
【００７３】
運動バー回転部２は、ベースフレーム１００に両端部がヒンジ結合された支持フレーム１１０の上部両側に離隔して回転するように形成され、上部に第１、２運動バー１１，１２がそれぞれヒンジ結合される第１ブラケット２３が形成された第１、２回転板２１，２２、第１、２回転板２１，２２の間に形成され支持フレーム１１０の上部中央に回転可能に結合され、外周縁に歯車が形成されたメイン円板２４、メイン円板２４の回転角度を調節する角度調節手段、第１回転板２１とメイン円板２４の間に回転力を伝達する第１回転力伝達手段と、第２回転板２２とメイン円板２４の間に回転力を伝達する第２回転力伝達手段、を含む。
【００７４】
図１５に示されるように、角度調節手段は、メイン円板２４の上部中心部から外周縁まで連結されるバー２７１と、バー２７１の端部に結合されるメインストッパ２７２と、メインストッパ２７２が差込み結合されるように複数の角度調節孔２７３が形成されメイン円板２４の外側に形成される水平角度調節板２７、を含み得る。
【００７５】
メインストッパ２７２は、ソレノイド（図示なし）、スプリング（図示なし）によって出没するピン等であり得るところ、必要な状況で突出して角度調節孔２７３に差込まれるようになる。
【００７６】
一方、前記第１回転力伝達手段は、第１回転板２１とメイン円板２４のプーリー２４２を連結する第１ベルトＴ１であり得、第２回転力伝達手段は、前記第２回転板２２とメイン円板２４のプーリー２４２を連結する第２ベルトＴ２であり得るが、望む通りに回転力を伝達することができる構成であれば、これに限定されない。以下では第１ベルトＴ１、第２ベルトＴ２を例にして説明する。
【００７７】
前記第１、２運動バー１１，１２は、相互反対方向に回転することができるように第１ベルトＴ１と第２ベルトＴ２の回転方向が相反して形成される。好ましくは、第１ベルトＴ１は「８」字形に形成され、第２ベルトＴ２は楕円形に形成される。
【００７８】
前記バー２７１の上面一側には固定クリップ２７５がヒンジ結合され、固定クリップ２７５はメインストッパ２７２を上昇させた状態で固定させる作動をするようになる。
【００７９】
メインストッパ２７２を上昇させた後、固定クリップ２７５をメインストッパ２７２側に回転させてメインストッパ２７２をロックして、第１、２運動バー１１，１２の角度が自由角で作動して使用者の意図通りに第１、２運動バー１１，１２を押し引きすることができ、アレイを持って運動する自由運動角効果を得ることができるようにする。
【００８０】
前記第１、２運動バー１１，１２の回転駆動を説明する。
【００８１】
図２１及び図２２のように、メインストッパ２７２を上昇させて角度調節孔２７３から分離させた後、バー２７１を左または右に回転させるとメイン円板２４が回転する。
【００８２】
メイン円板２４が回転すると、第１、２ベルトＴ１，Ｔ２の相反する回転が行われ、第１、２ベルトＴ１，Ｔ２が連結された第１、２回転板２１，２２が相反して回転するため、第１、２回転板２１，２２にそれぞれ連結された第１、２運動バー１１，１２が互いに相反して回転する。前述の回転は、その場で回転する自転を意味する。
【００８３】
適正な角度でメイン円板２４が回転するようにし、上昇させていたメインストッパ２７２を放せば、メインストッパ２７２が角度調節孔２７３に引き入れられて角度が固定される。
【００８４】
このように第１、２運動バー１１，１２を回転させることにより、それぞれのグリップ１１６，２１６の角度を調節することができるようになる。
【００８５】
第１、２運動バー１１，１２は、椅子２００を基準として両側に対称に形成され、上部のグリップ１１６，２１６が相互対称に形成される。
【００８６】
第１運動バー１１は、第１回転板２１の上面に形成された連結部２３と軸ピンでヒンジ結合されて垂直に形成され丸棒に形成された下部棒体１１１と、前記下部棒体１１１の上部に差込み結合され、内部に下部棒体１１１と結合されるベアリングが形成されて回転することができるホルダー１１３と、前記ホルダー１１３の上部に垂直に差込み結合される上部棒体１１２と、及び前記上部棒体１１２の上端に形成されるグリップ１１６とで構成される。
【００８７】
第２運動バー１２は、第２回転板２２の上面に形成された連結部２３と軸ピンでヒンジ結合されて垂直に形成され丸棒に形成された下部棒体２１１と、前記下部棒体２１１の上部に差込み結合され、内部に下部棒体２１１と結合されるベアリングが形成されて回転することができるホルダー２１３と、前記ホルダー２１３の上部に垂直に差込み結合される上部棒体２１２と、及び前記上部棒体２１２の上端に形成されるグリップ２１６とで構成される。
【００８８】
グリップ１１６，２１６それぞれは、水平の上部バーと下部バー及び垂直バーで構成された「コ」形状または「Ｃ」字形状からなり、開口部が椅子２００に向かうように形成される  。
【００８９】
特にグリップ１１６，２１６を手で把持する上部バーの中間点を、上部棒体１１２，２１２の回転軸と一致させることにより、第１、２運動バー１１，１２が回転しても手で把持した部位の位置は変動しない。
【００９０】
したがって、第１、２運動バー１１，１２を回転させて角度を変化させることにより、胸筋の外側、中間、内側を意図どおり刺激することができる。ホルダー１１３，２１３が装着されていて、第１、２運動バー１１，１２が右、左の方向にその場で回転しても、連結棒３２とコネクティングバー３６とは角度変化なしに元の位置を維持する。
【００９１】
第１、２運動バー１１，１２を回転させて胴体の外側または内側に向かうようにして、胸筋の内側、中間、外側を細分して運動することができる。
【００９２】
一例として、図２２のように、第１、２運動バー１１，１２を胴体の外側に向かうように角度を変更した状態で押す運動をすると、胸筋の外側に刺激を与えるようになる。
【００９３】
または図２１のように、第１、２運動バー１１，１２を胴体の内側へ寄るように押す運動をすると、胸筋の内側に刺激を与えるようになる。
【００９４】
図２０のように第１、２運動バー１１，１２を胴体の中央で押す運動をすると、胸筋の中間に刺激を与えるようになる。
【００９５】
前記メインストッパ２７２を用いる方式は、電動式で回転角度を調節することができるように形成することも可能である。
【００９６】
電動式で回転角度を調節する実施例では、メイン円板２４の回転角度を第１モーター２６４で自動設定する電動式角度調節部２６をさらに含む。
【００９７】
図１６及び図１７に示されるように、電動式角度調節部２６は、メイン円板２４の外周縁に形成された複数の歯車からなる歯車部２６１、前記歯車部２６１に歯車結合されるピニオンギア２６２が形成され支持フレーム１１０に装着された第１モーター２６４、第１モーター２６４が装着されスライド移動する固定部２８、を含んで構成される。
【００９８】
前記固定部２８は、支持フレーム１１０に連結された支え板２８１と、支え板２８１の上面に装置された移動板２８２と、移動板２８２に垂直に形成された垂直棒２８３で構成され、垂直棒２８３の上部に第１モーター２６４が装着される。
【００９９】
移動板２８２と支え板２８１にはそれぞれ調節長孔２８４が形成され、調節長孔２８４に結合されて固定または解除作動する移動板ストッパ２８５を含んで構成される。
【０１００】
したがって、移動板ストッパ２８５を外し移動板２８２を後方に移動させると、それに連結された第１モーター２６４とピニオンギア２６２が歯車部２６１から分離する。
【０１０１】
この状態では運動バー回転部２のバー２７１を手で回転させて適正な角度を手動で設定することができる。
【０１０２】
一方、移動板２８２を前進させて第１モーター２６４のピニオンギアがメイン円板２４の歯車部に結合するようにした後、移動板ストッパ２８５を締めて固定させてから、第１モーター２６４を駆動させると、メイン円板２４を電動式で回転することができる。
【０１０３】
この際、事前に、制御部４００の信号に応じてメイン円板２４の回転角度を固定するメインストッパ２７２に装着されたソレノイドバルブ（図示なし）が、メインストッパ２７２を上昇させて角度調節孔２７３から分離させたまま維持されるようにすることが好ましい。
【０１０４】
メイン円板２４の回転角度を感知する角度センサー部２６５が含まれる。
【０１０５】
前記角度センサー部２６５は、メイン円板２４の下部に形成され、前記歯車部２６１に近接して弧形状に複数の接点２６６と、前記複数の接点２６６を感知するように第１モーター２６４の上部に形成されたセンサー２６７、で構成される。
【０１０６】
したがって、制御部４００から信号が送信されると、第１モーター２６４が駆動し、ピニオンギア２６２が回転して、ピニオンギア２６２が歯車部２６１及びメイン円板２４を一定角度だけ回転させるようになる。
【０１０７】
回転した角度は、角度センサー部２６５でリーディングした後、制御部４００に表示するようになる。
【０１０８】
メイン円板２４が回転すると、第１ベルトＴ１と第２ベルトＴ２が互いに相反して回転し、これにそれぞれ結合された第１、２回転板２１，２２が互いに相反して回転し、第１、２回転板２１，２２に結合された第１、２運動バー１１，１２が回転して角度が調整されることができる。
【０１０９】
一方、運動バー回転部２を上下方向に傾き角度を調節する上下傾斜角調節部３が含まれる。
【０１１０】
傾斜角調節部３は、連結棒３２と第１、２運動バー１１，１２のホルダー１１３、２１３を連結するように両側に形成されるコネクティングバー３６、支持フレーム１１０に一端が連結され上向きに傾斜して形成され、他端に第３ストッパ３７１が形成された傾斜バー３７３と、前記傾斜バー３７３の後端に対応するようにベースフレーム１００の後方上部に形成され第３ストッパ３７１が結合されるよう複数の角度調節孔が縦方向に形成された角度板３７５で構成された回動部３７、連結棒３２とコネクティングバー３６を連結し第１、２運動バー１１，１２の上下左右方向の角度変化を受容し、第１、２運動バー１１，１２の前後進作動を連結棒３２に伝達する角度変動受容部３８を含んで構成される。
【０１１１】
前記両側のコネクティングバー３６それぞれは、第１、２運動バー１１，１２のホルダー１１３，２１３に一端がヒンジ結合された第１パイプ３６１と、角度変動受容部３８に一端がヒンジ結合された第２パイプ３６２とが互いに差込み結合され、第１パイプ３６１には複数の長さ調節孔３６３がそれぞれ形成され、第２パイプ３６２には、第１パイプ３６１の長さ調節孔３６３に対応する位置に結合されて固定力を提供する第１ストッパ５及び第２ストッパ６を含んで構成される。
【０１１２】
前記第３ストッパ３７１、第１ストッパ５、第２ストッパ６のそれぞれは、円形パイプと、円形パイプの内部に挿入されたスプリングに結合され前記長さ調節孔３６３に挿入されるピンと、ピンに連結されたケーブルユニット５５とで構成される。
【０１１３】
したがって、ケーブルユニット５５が引っぱられるとピンが長さ調節孔３６３から抜けるようになり、ケーブルユニット５５を放すとスプリングの弾性によって長さ調節孔３６３にピンが引き入れられて固定状態となり手動で作動させることができる。
【０１１４】
ケーブルユニット５５は、第３ストッパ３７１に一側が連結され、他側は第１ストッパ５及び第２ストッパ６に直列で連結されているため、第３ストッパ３７１を作動させるとケーブルユニット５５が引っぱられ、第１ストッパ５、第２ストッパ６も伴って引っぱられて解除される。
【０１１５】
傾斜角調節部３の作動について説明すると、傾斜バー３７３が支持フレーム１１０に連結され、傾斜バー３７３を上げ下げし、第３ストッパ３７１で角度板３７５の角度調節孔に角度を固定する。
【０１１６】
傾斜バー３７３を上げ下げする際、コネクティングバー３６の長さの変化が生じる。このような理由から、コネクティングバー３６の第１パイプ３６１と第２パイプ３６２の結合構造でなければならず、コネクティングバー３６の第１パイプ３６１には長孔が、第２パイプ３６２にはそれぞれ第１、２ストッパ５，６が装着され、第３ストッパ３７１が作動する時に同時に第１、２ストッパ５，６が作動しなければならないためケーブルユニット５５を使用する。
【０１１７】
例えば、コネクティングバー３６の長さを短くすると、第１、２運動バー１１，１２は使用者の体の方へ傾いた状態となり、コネクティングバー３６の長さを長くすると、第１、２運動バー１１，１２は垂直状態になる。
【０１１８】
前記角度変動受容部３８は、図１６及び図２３に示したように、一側には連結棒３２に形成されたヒンジブラケット３２２と軸ピン３２３で結合されるボール３８２と、前記ボール３８２に差込み結合されるジョイント３８３が一端部に形成され、他端部はコネクティングバー３６にヒンジ結合されるロード３８４で構成される。
【０１１９】
ロード３８４とコネクティングバー３６が左方向または右方向に回転すると、ジョイント３８３がボール３８２に結合された状態で左方向または右方向に回転することにより屈折作動が可能になる。
【０１２０】
また、ロード３８４とコネクティングバー３６が上下方向に回転する運動の際に、ジョイント３８３がボール３８２に結合された状態で上下方向に回転することができるため、第１、２運動バー１１，１２及びコネクティングバー３６の上下方向と左右方向の回転運動が可能になり得る。
【０１２１】
一方、第３ストッパ３７１を分離する作動と伴って、他側の第１ストッパ５及び第２ストッパ６も同時に分離することができるように、第１ストッパ５、第２ストッパ６、第３ストッパ３７１を連結するケーブルユニット５５が含まれる。
【０１２２】
第１、２運動バー１１，１２にそれぞれコネクティングバー３６が両側に備えられ、それぞれのコネクティングバー３６の第２パイプ３６２に第１、第２ストッパ５，６がそれぞれ形成され、支持フレーム１１０に一端が連結され、上向きに傾斜して形成された傾斜バー３７３に第３ストッパ３７１が形成される。
【０１２３】
第１ストッパ５、第２ストッパ６、第３ストッパ３７１は、ケーブルユニット５５で連結される。したがって、ケーブルユニット５５は、第３ストッパ３７１に一側が連結され、他側は第１ストッパ５及び第２ストッパ６に直列で連結される。
【０１２４】
第１、２、３ストッパ５，６，３７１を相互連動するようにするケーブルユニット５５は、内部にワイヤーが挿入されたチューブを含むもので、ワイヤーの一端が第３ストッパ３７１に連結され、他端は第１ストッパ５と第２ストッパ６に連結される。
【０１２５】
したがって、第３ストッパ３７１を外側に引っぱると、ケーブルユニット５５のワイヤーが引っぱられて他側の第１、第２ストッパ５，６も伴って引っぱられるようになるため、第１、２ストッパ５，６の分離作動が伴って行われることができる。
【０１２６】
一方、第１、２、３ストッパ５，６，３７１は、電動式で作動できるようにソレノイドバルブ（図示なし）が含まれ得る。
【０１２７】
好ましくは、第３ストッパ３７１のみソレノイドバルブが備えられ、制御部４００の信号を受けて第３ストッパ３７１のソレノイドバルブが作動してピンを分離しながらケーブルユニット５５を引っぱるようになるため、第１、２ストッパ５，６はケーブルユニット５５に連動して分離作動がなされるようになる。
【０１２８】
傾斜角調節部３の手動作動を説明する。
【０１２９】
上下角度調節部４を解除する。
【０１３０】
第３ストッパ３７１を解除作動すると、それに伴って第１ストッパ５及び第２ストッパ６が解除されて傾斜バー３７３がフリーな状態になる。
【０１３１】
その後傾斜バー３７３を上げ下げすると、支持フレーム１１０が回転し、伴ってコネクティングバー３６の長さが変動する。
【０１３２】
角度を決定して第３ストッパ３７１を固定させると同時に第１、２ストッパ５，６も固定される。
【０１３３】
一方、前記傾斜角調節部３のティルティング角度を第２モーター４８で自動設定する上下角度調節部４をさらに含む。
【０１３４】
図１７、図１８、図１９に示されるように、上下角度調節部４は、ベースフレーム１００に両端部がヒンジ結合された支持フレーム１１０の一側面に装着され、外周縁に歯車が形成された扇形ギア４２、扇形ギア４２に歯車結合されるピニオンギア４６が形成され、ベースフレーム１００に結合されたプレート１２０に装着された第２モーター４８、扇形ギア４２の側面に弧形に複数配置される接点４９１と、第２モーター４８の一側に形成され前記複数の接点４９１を感知するセンサー４９２とで構成される角度センシング部４９を含んで構成される。
【０１３５】
前記プレート１２０は、長さ調節孔１２１が形成され、ベースフレーム１００に形成された連結ピン１２２が前記長さ調節孔１２１に貫通して結合されて、前記長さ調節孔１２１の一端にねじ結合され、装着フレーム１４３の上面に圧着されてプレート１２０の固定力を発揮する固定ハンドル１２４、を含んで構成される。
【０１３６】
前記長さ調節孔１２１を貫通して装着フレーム１４３に連結ピン１２２が結合されているため、プレート１２０は装着フレーム１４３の上面に沿って前後に移動することができる。
【０１３７】
連結ピン１２２は、上端に丸い頭部が形成されてプレート１２０が分離しないようにし、長さ調節孔１２１に沿って移動が可能なようにしたものである。
【０１３８】
したがって、固定ハンドル１２４をゆるめてプレート１２０を前後方向に移動させることができ、連結ピン１２２が長さ調節孔１２１内に挿入された状態で前後にプレート１２０が動くことができて、歯車結合または分離作動が誘発されてピニオンギア４６と扇形ギア４２間の結合及び分離を制御し、第２モーター４８の動力伝達または遮断を制御するようになる。
【０１３９】
例えば、プレート１２０を後方（椅子のある方向）に移動させると、扇形ギア４２とピニオンギア４６間が分離するため、第２モーター４８の動力伝達が短絡し得る。
【０１４０】
制御部４００のパネルで、電動モードに切り替えるとソレノイドによって第３ストッパ３７１と第１ストッパ５と第２ストッパ６が解除され、その後第２モーター４８が駆動してピニオンギア４６が扇形ギア４２を回転させると、支持フレーム１１０が回転して角度が設定されることができる。
【０１４１】
設定された角度は、角度センシング部４９で認識して制御部４００に表示される。
【０１４２】
したがって、支持フレーム１１０の角度変更により、第１、２運動バー１１，１２及びグリップ１１６，２１６の傾きを適切に調節することができて使用者に適した角度に設定が可能になる。
【０１４３】
このように角度を設定することにより、胸筋の上部または下部に刺激が集中することができる。
【０１４４】
一方、重量円板Ｒは、連結棒３２に形成された差込み棒３２１に適正な数を結合させて重さを設定することができる。
【０１４５】
または図示されていないが、重量体支持棒６３の第２水平部材６３３の末端部にワイヤーを連結してレンガ形状のステックを積層して運動負荷を提供する、いわゆる「マシン」の器具にも応用することができる。
【０１４６】
一方、前記連結棒３２の上下回転運動の伝達を受けてローターを回転させて発電させる自家発電部、をさらに含む。
【０１４７】
前記自家発電部は、図１８及び図１９に示されるように、ベースフレーム１００の後方に装着されプーリー７３を回転軸に備えた発電機７２、一端が連結棒３２に固定され前記発電機７２のプーリー７３に巻き取られるワイヤーロープ７４、ワイヤーロープ７４の端部に一端が結合され他端はベースフレーム１００の一側に結合されて伸縮作動する弾性部材７６、を含んで構成される。
【０１４８】
前記弾性部材７６は、コイルスプリングまたは弾力バンドであるものである。
【０１４９】
したがって、第１、２運動バー１１，１２を前後に押し引きする作動を実施すると、連結棒３２が上下に回転し、連結棒３２に連結されたワイヤーロープ７４が上下に往復作動し、プーリー７３は正回転及び逆回転を繰り返すことにより発電機７２を駆動させて発電をするようになる。
【０１５０】
弾性部材７６はコイルスプリングであり、伸長したり収縮しながらワイヤーロープ７４の上下の往復作動の速度をより増速させる役割をすることにより、発電性能が向上することができる。
【０１５１】
生成された電気は、蓄電池７７に貯蔵されて、制御部４００のディスプレイの使用電力として使用され得、また第１モーター２６４及び第２モーター４８の使用電力として使用され得る。
【０１５２】
蓄電池７７の電力量が適正水準以下である場合、蓄電池７７の表示ランプが点き、外部から電気を供給するように電源コンセントが備えられ蓄電池７７を充電することができる。
【０１５３】
以上は、好ましい実施例と係わって説明されているが、発明の要旨と範囲から逸脱することなく多様な修正及び変形が可能なことは当業者であれば容易に認識することができるものであり、そのような変更及び修正は全て添付された請求の範囲に属することは自明である。
【符号の説明】
【０１５４】
＜実施例１＞
２：ねじれ角度調節手段  ３：回転板ティルティング手段
４：ティルティング角度調節部  ６：運動バーティルティング手段
８：椅子調節手段
１１，１２：第１、２運動バー  ２５：ねじれ角度固定部材
２６：自転角度調節部  ２９：連結棒
１００：ベースフレーム  １４０：下部支持棒
１８０：角度調節板  １９０：第１ストッパ
２００：椅子  ２５２：カンチレバーブラケット
３００：重量部
＜実施例２＞
２：運動バー回転部  ３：傾斜角調節部
４：上下角度調節部  ５：第１ストッパ
６：第２ストッパ  ７：自家発電部
８：椅子調節手段  １１，１２：第１、２運動バー
３２：連結棒  ２１，２２：第１、２回転板
２４：メイン円板  ２７：水平角度調節板
Ｔ１：第１ベルト  Ｔ２：第２ベルト
２６：電動式角度調節部  ３２：連結棒
３４：支え棒  ３６：コネクティングバー
３７：回動部  ３８：角度変動受容部
４２：扇形ギア  ４８：第２モーター
４９：角度センシング部  ５５：ケーブルユニット
７２：発電機  ７４：ワイヤーロープ
７６：弾性部材  ７７：蓄電池
８２：ガイド棒  ８４：椅子フレーム
８３：可動パネル  ８５：第４ストッパ
１００：ベースフレーム  １１３，２１３：ホルダー
１１６，２１６：グリップ  ２００：椅子
２６１：歯車部  ２６２：ピニオンギア
２６４：第１モーター  ２６５：角度センサー部
３７１：第３ストッパ  ４００：制御部
【図１】
0006883355.tif 000002
【図２】
0006883355.tif 000003
【図３】
0006883355.tif 000004
【図４】
0006883355.tif 000005
【図５】
0006883355.tif 000006
【図６】
0006883355.tif 000007
【図７】
0006883355.tif 000008
【図８】
0006883355.tif 000009
【図９】
0006883355.tif 000010
【図１０】
0006883355.tif 000011
【図１１】
0006883355.tif 000012
【図１２】
0006883355.tif 000013
【図１３】
0006883355.tif 000014
【図１４】
0006883355.tif 000015
【図１５】
0006883355.tif 000016
【図１６】
0006883355.tif 000017
【図１７】
0006883355.tif 000018
【図１８】
0006883355.tif 000019
【図１９】
0006883355.tif 000020
【図２０】
0006883355.tif 000021
【図２１】
0006883355.tif 000022
【図２２】
0006883355.tif 000023
【図２３】
0006883355.tif 000024